(57)【要約】【課題】誤操作の防止を目的とする入力操作のロックを解除しようとするユーザによる操作を有効に活用する。【解決手段】本発明の携帯装置（例えば、ユーザ端末３０）は、外部（例えば、Ｗｅｂサーバ１０）から取得される提示情報（例えば、質問文）と単数又は複数のオブジェクト（例えば、質問文が示す質問に対する回答の選択肢）とを含む操作ロック画面を表示手段（例えば、タッチパネルディスプレイ６５０）に表示させる提示手段と、当該操作ロック画面が表示されている状態において所定の応答操作（例えば、回答の選択操作）を兼ねる所定のロック解除操作が検出された場合に、該検出されたロック解除操作の操作対象と操作態様との少なくともいずれかに応じて決まる応答情報（例えば、選択された回答を特定する情報）が外部の装置（例えば、Ｗｅｂサーバ１０）に提供されるよう該応答情報を出力する応答手段と、を具備する。【選択図】図１
2015076022.tif 000002
【特許請求の範囲】
【請求項１】
外部から取得される提示情報と単数又は複数のオブジェクトとを含む操作ロック画面を表示手段に表示させる提示手段と、
前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、
を具備する携帯装置。
【請求項２】
前記提示手段が、複数のオブジェクトを含む前記操作ロック画面を前記表示手段に表示させ、
前記応答手段が、前記検出されたロック解除操作の操作対象のみ又は操作対象と操作態様との組合せに応じて決まる前記応答情報を出力する、
請求項１に記載の携帯装置。
【請求項３】
前記所定の応答操作が、前記操作ロック画面に含まれる複数のオブジェクトのうち少なくとも２つを順次操作対象とする単数の又は連続する複数の応答操作であり、
前記応答手段が、前記検出されたロック解除操作により複数のオブジェクトが操作対象となった順序を特定可能な前記応答情報を出力する、
請求項２に記載の携帯装置。
【請求項４】
前記所定の応答操作が、前記操作ロック画面に含まれる複数のオブジェクトのうち少なくとも２つを順次操作対象とする一連のスワイプ操作である、
請求項３に記載の携帯装置。
【請求項５】
第１メッセージと単数又は複数の第２メッセージと提示優先度を特定可能な提示優先度情報とを含むメッセージ群を定期的に又は所定の事象を契機として外部の装置から取得し、前記メッセージ群を複数保持可能な保持手段に保持させる手段と、
前記保持手段に保持される複数のメッセージ群の中から前記提示優先度情報により特定される提示優先度の高いメッセージ群を優先的に選択する選択手段と、
をさらに具備し、
前記提示手段が、前記選択手段により選択されるメッセージ群に含まれる第１メッセージを含む前記提示情報と、該メッセージ群に含まれる単数又は複数の第２メッセージをそれぞれ表示する単数又は複数の前記オブジェクトと、を含む前記操作ロック画面を前記表示手段に表示させ、
前記応答手段が、前記検出されたロック解除操作の操作対象となったオブジェクトに対応する第２メッセージを特定可能な前記応答情報を出力する、
請求項１に記載の携帯装置。
【請求項６】
前記メッセージ群が、提示期間の始期と終期との少なくともいずれかを示す提示期間情報をさらに含み、
前記選択手段が、前記提示期間情報を用いて特定される提示期間を前記提示優先度より優先的に加味してメッセージ群を選択する、
請求項５に記載の携帯装置。
【請求項７】
前記選択手段が、操作ロックが発動してから前記所定のロック解除操作が前記検出手段により検出されるまでの間にメッセージ群を選択する、
請求項６に記載の携帯装置。
【請求項８】
前記選択手段が、オフ状態にある前記表示手段がユーザによる所定の操作によりオンになった時点以降にメッセージ群を選択する、
請求項７に記載の携帯装置。
【請求項９】
前記オブジェクトが、前記提示情報に関連する単数又は複数の観点にそれぞれ対応する単数又は複数の線状の軸を含み、
前記所定の応答操作が、前記軸上の位置を指定するスワイプ操作であり、
前記応答手段が、前記スワイプ操作により指定される位置を特定可能な前記応答情報を出力する、
請求項１に記載の携帯装置。
【請求項１０】
前記スワイプ操作が描く軌跡と前記軸との交点の位置が前記軸上の位置として指定される、
請求項９に記載の携帯装置。
【請求項１１】
前記オブジェクトが、前記提示情報に関連する２つの観点にそれぞれ対応し互いに直交する２本の直線状の前記軸を含み、
前記スワイプ操作が描く軌跡の終点又は始点を通る垂線と前記軸との交点の位置が該軸上の位置としてそれぞれ指定される、
請求項９に記載の携帯装置。
【請求項１２】
所定のプログラムをインストールさせ、
外部から取得される提示情報と単数又は複数のオブジェクトとを含む操作ロック画面を表示手段に表示させる提示処理と、
前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答処理と、
を実行させる、携帯装置を構成するコンピュータの制御方法。
【請求項１３】
外部から取得される提示情報と単数又は複数のオブジェクトとを含む操作ロック画面を表示手段に表示させる提示機能と、
前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答機能と、
を携帯装置を構成するコンピュータに実現させるための制御プログラム。
【請求項１４】
外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置に前記提示情報を配信する配信手段と、
前記応答手段により出力される応答情報を取得し記憶手段に記憶させる格納要求手段と、
を具備する情報処理装置。
【請求項１５】
外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置に前記提示情報を配信する配信ステップと、
前記応答手段により出力される応答情報を取得し記憶手段に記憶させる格納要求ステップと、
を含む、情報処理装置を構成するコンピュータの制御方法。
【請求項１６】
外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置に前記提示情報を配信する配信機能と、
前記応答手段により出力される応答情報を取得し記憶手段に記憶させる格納要求機能と、
を情報処理装置を構成するコンピュータに実現させるための制御プログラム。
【請求項１７】
外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置と、
前記携帯装置に前記提示情報を配信する配信手段と、前記応答手段により出力される応答情報を取得し記憶手段に記憶させる格納要求手段と、を具備する情報処理装置と、
を含む、情報処理システム。
【請求項１８】
情報処理装置が、携帯装置に所定のプログラムをインストールさせるステップと、
前記情報処理装置が、前記携帯装置に提示情報を配信する配信ステップと、
前記携帯装置が、前記提示情報と単数又は複数のオブジェクトとを含む操作ロック画面を表示手段に表示させる提示ステップと、
前記携帯装置が、前記操作ロック画面が表示されている状態において所定の応答操作を兼ねる所定のロック解除操作が検出手段により検出された場合に、該検出されたロック解除操作の対象と態様との少なくともいずれかに応じて決まる応答情報が外部の装置に提供されるよう該応答情報を出力する応答ステップと、
前記情報処理装置が、前記携帯装置により出力される応答情報を取得し記憶手段に記憶させる格納要求ステップと、
を含む、情報処理方法。
【発明の詳細な説明】
【技術分野】
【０００１】
本発明は、通信ネットワークを介して情報を送受する情報処理システム及び当該システムを構成する装置に関する。特に、タッチ式の入力手段を備える携帯装置のユーザインターフェースに関するものである。
【背景技術】
【０００２】
不正なオーダ操作を防止するため、ロック画面に表示される質問に対する正解がタッチパネルを介して入力された場合に限りタッチパネルによる基本操作のロックを解除する機能を有するオーダ端末が知られている（例えば、特許文献１参照）。
【先行技術文献】
【特許文献】
【０００３】
【特許文献１】特開２０１３−０４５４１１号公報
【発明の概要】
【発明が解決しようとする課題】
【０００４】
不正操作の防止を目的とする場合、タッチパネルによる基本操作に対するロックを解除するための操作パターンは必要最小限に限定されるのが通常である。そのため、ロック解除の操作パターンにバリエーションをもたせることは一般に困難である。
【０００５】
本発明が解決しようとする課題は、誤操作の防止を目的とする入力操作のロックを解除しようとするユーザによる操作を有効に活用する、という点である。
【課題を解決するための手段】
【０００６】
上記課題を解決するため、本発明の一態様である「携帯装置」は、外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する。
上記課題を解決するため、本発明の一態様である「携帯装置を構成するコンピュータの制御方法」は、携帯装置に所定のプログラムをインストールさせ、外部から取得される提示情報と単数又は複数のオブジェクトとを含む操作ロック画面を表示手段に表示させる提示処理と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答処理と、を携帯装置に実行させる。
上記課題を解決するため、本発明の一態様である「携帯装置を構成するコンピュータの制御プログラム」は、外部から取得される提示情報と単数又は複数のオブジェクトとを含む操作ロック画面を表示手段に表示させる提示機能と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答機能と、を携帯装置を構成するコンピュータに実現させる。
上記課題を解決するため、本発明の一態様である「携帯装置を構成するコンピュータの制御プログラムを記録したコンピュータ読取り可能な記録媒体」に記録される制御プログラムは、外部から取得される提示情報と単数又は複数のオブジェクトとを含む操作ロック画面を表示手段に表示させる提示機能と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答機能と、を携帯装置を構成するコンピュータに実現させる。
上記課題を解決するため、本発明の一態様である「情報処理装置」は、外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置に前記提示情報を配信する配信手段と、前記応答手段により出力される応答情報を取得し記憶手段に記憶させる格納要求手段と、を具備する。
上記課題を解決するため、本発明の一態様である「情報処理装置を構成するコンピュータの制御方法」は、外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置に前記提示情報を配信する配信ステップと、前記応答手段により出力される応答情報を取得し記憶手段に記憶させる格納要求ステップと、を含む。
上記課題を解決するため、本発明の一態様である「情報処理装置を構成するコンピュータの制御プログラム」は、外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置に前記提示情報を配信する配信機能と、前記応答手段により出力される応答情報を取得し記憶手段に記憶させる格納要求機能と、を情報処理装置を構成するコンピュータに実現させる。
上記課題を解決するため、本発明の一態様である「情報処理装置を構成するコンピュータの制御プログラムを記録したコンピュータ読取り可能な記録媒体」に記録される制御プログラムは、外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置に前記提示情報を配信する配信機能と、前記応答手段により出力される応答情報を取得し記憶手段に記憶させる格納要求機能と、を情報処理装置を構成するコンピュータに実現させる。
上記課題を解決するため、本発明の一態様である「情報処理システム」は、外部から取得される提示情報と単数又は複数のオブジェクトとを含む操作ロック画面を表示手段に表示させる提示手段と、前記操作ロック画面が表示されている状態において所定の応答操作を兼ねる所定のロック解除操作が検出手段により検出された場合に、該検出されたロック解除操作の操作対象と操作態様との少なくともいずれかに応じて決まる応答情報が外部の装置に提供されるよう該応答情報を出力する応答手段と、を具備する携帯装置と、前記携帯装置に前記提示情報を配信する配信手段と、前記応答手段により出力される応答情報を取得し記憶手段に記憶させる格納要求手段と、を具備する情報処理装置と、を含む。
上記課題を解決するため、本発明の一態様である「情報処理方法」は、情報処理装置が、携帯装置に所定のプログラムをインストールさせるステップと、前記情報処理装置が、前記携帯装置に提示情報を配信する配信ステップと、前記携帯装置が、前記提示情報と単数又は複数のオブジェクトとを含む操作ロック画面を表示手段に表示させる提示ステップと、前記携帯装置が、前記操作ロック画面が表示されている状態において所定の応答操作を兼ねる所定のロック解除操作が検出手段により検出された場合に、該検出されたロック解除操作の対象と態様との少なくともいずれかに応じて決まる応答情報が外部の装置に提供されるよう該応答情報を出力する応答ステップと、前記情報処理装置が、前記携帯装置により出力される応答情報を取得し記憶手段に記憶させる格納要求ステップと、を含む。
【０００７】
本発明において、表示手段や検出手段は、携帯装置がこれらを具備していてもよいし、携帯装置と近距離の無線通信等により接続可能な他の入出力装置がこれらを具備していてもよい。
本発明の「携帯装置を構成するコンピュータの制御方法」を使用する主体は、例えば、携帯装置を利用してサービスを提供する事業者が管理するサーバ装置である。
【０００８】
上記「携帯装置」には、以下に例示するように、種々の技術的限定を加えてもよい。また、同趣旨の技術的限定を、「携帯装置」が実行する処理ステップや「携帯装置」の機能に加えてもよい。
前記提示手段が、複数のオブジェクトを含む前記操作ロック画面を前記表示手段に表示させ、前記応答手段が、前記検出されたロック解除操作の操作対象のみ又は操作対象と操作態様との組合せに応じて決まる前記応答情報を出力する、という限定を加えてもよい。
前記所定の応答操作が、前記操作ロック画面に含まれる複数のオブジェクトのうち少なくとも２つを順次操作対象とする単数の又は連続する複数の応答操作であり、前記応答手段が、前記検出されたロック解除操作により複数のオブジェクトが操作対象となった順序を特定可能な前記応答情報を出力する、という限定を加えてもよい。
前記所定の応答操作が、前記操作ロック画面に含まれる複数のオブジェクトのうち少なくとも２つを順次操作対象とする一連のスワイプ操作である、という限定を加えてもよい。
第１メッセージと単数又は複数の第２メッセージと提示優先度を特定可能な提示優先度情報とを含むメッセージ群を定期的に又は所定の事象を契機として外部の装置から取得し、前記メッセージ群を複数保持可能な保持手段に保持させる手段と、前記保持手段に保持される複数のメッセージ群の中から前記提示優先度情報により特定される提示優先度の高いメッセージ群を優先的に選択する選択手段と、をさらに具備し、前記提示手段が、前記選択手段により選択されるメッセージ群に含まれる第１メッセージを含む前記提示情報と、該メッセージ群に含まれる単数又は複数の第２メッセージをそれぞれ表示する単数又は複数の前記オブジェクトと、を含む前記操作ロック画面を前記表示手段に表示させ、前記応答手段が、前記検出されたロック解除操作の操作対象となったオブジェクトに対応する第２メッセージを特定可能な前記応答情報を出力する、という限定を加えてもよい。
前記メッセージ群が、提示期間の始期と終期との少なくともいずれかを示す提示期間情報をさらに含み、前記選択手段が、前記提示期間情報を用いて特定される提示期間を前記提示優先度より優先的に加味してメッセージ群を選択する、という限定を加えてもよい。
前記選択手段が、操作ロックが発動してから前記所定のロック解除操作が前記検出手段により検出されるまでの間にメッセージ群を選択する、という限定を加えてもよい。
前記選択手段が、オフ状態にある前記表示手段がユーザによる所定の操作によりオンになった時点以降にメッセージ群を選択する、という限定を加えてもよい。
前記オブジェクトが、前記提示情報に関連する単数又は複数の観点にそれぞれ対応する単数又は複数の線状の軸を含み、前記所定の応答操作が、前記軸上の位置を指定するスワイプ操作であり、前記応答手段が、前記スワイプ操作により指定される位置を特定可能な前記応答情報を出力する、という限定を加えてもよい。
前記スワイプ操作が描く軌跡と前記軸との交点の位置が前記軸上の位置として指定される、という限定を加えてもよい。
前記オブジェクトが、前記提示情報に関連する２つの観点にそれぞれ対応し互いに直交する２本の直線状の前記軸を含み、前記スワイプ操作が描く軌跡の終点又は始点を通る垂線と前記軸との交点の位置が該軸上の位置としてそれぞれ指定される、という限定を加えてもよい。
【発明の効果】
【０００９】
本発明では、ユーザが使用する携帯装置の操作ロック画面に情報を提示し、当該情報に対する応答をロック解除操作を通して取得する。
このように、誤操作の防止を目的とする入力操作のロックを解除しようとするユーザによる操作が、操作ロック画面に提示された情報に対する応答を取得するために活用される。
【図面の簡単な説明】
【００１０】
【図１】実施形態の主要な特徴の説明図である。
【図２】実施形態のシステムのネットワーク構成例を示すブロック図である。
【図３】サーバ装置のハードウェア構成例を示すブロック図である。
【図４】記憶装置に記憶されるデータの主要な項目の説明図である。
【図５】操作ロック画面のテンプレートの表示例である。
【図６】ユーザ端末のハードウェア構成例を示すブロック図である。
【図７】ＤＢサーバ、Ｗｅｂサーバ及びユーザ端末の機能構成例をそれぞれ示すブロック図である。
【図８】ネットワークを介して送受されるデータの主要な項目の説明図である。
【図９】実施形態のシステムによる情報処理の手順例を示すシーケンス図である。
【図１０】実施形態のシステムによる情報処理の手順例を示すシーケンス図である。
【図１１】他の実施形態の説明図である。
【図１２】他の実施形態の説明図である。
【図１３】他の実施形態の説明図である。
【発明を実施するための形態】
【００１１】
［１．実施形態の概要］
［１−１．主要な特徴］
図１を参照して、実施形態の主要な特徴を説明する。
本実施形態では、ユーザ端末３０（「携帯装置」の一例。）のタッチパネルディスプレイ６５０（「表示手段」の一例。）に質問文（「提示情報」の一例。）と当該質問文が示す質問に対する回答の選択肢（「オブジェクト」の一例。）とを含む操作ロック画面を表示させ、タッチパネルディスプレイ６５０（「入力手段」の一例。）上で回答の選択操作（「所定の応答操作」の一例。）を兼ねる所定のロック解除操作により、ユーザに回答を選択させる。
選択された回答を特定する情報（「応答情報」の一例。）は、ユーザ端末３０から通信ネットワーク４０を介してＷｅｂサーバ１０（「外部の装置」の一例。）に送信される。
【００１２】
［１−２．操作ロック画面の構成］
図１では、ユーザ端末３０のタッチパネルディスプレイ６５０に、操作ロック画面が表示されている。
本実施形態において操作ロック画面は、時刻情報が表示される領域１１１と、操作要素１１２と、「ロック解除」との文言が表示される領域１１３と、提示情報（例えば、質問文，依頼文などを示すテキスト，画像（静止画，動画）などの要素）が表示される領域１２１と、２つの選択肢にそれぞれ対応する２つのオブジェクト（回答の選択肢を示すテキスト，画像（静止画，動画）などの要素）１２２ａ，１２２ｂとを含む。
タッチパネルディスプレイ６５０の一部（例えば、ロック解除操作検出領域１３１内）又は全部は、操作ロックが機能している状態において、ユーザの指やタッチペンによるタッチ入力（例えば、パネルへの接触の有無及び接触位置の入力）を受け付ける。
【００１３】
［１−３．ロック解除操作の手順］
ユーザ端末３０は、タッチパネルディスプレイ６５０に操作ロック画面が表示されている状態において、操作要素１１２の表示領域内の任意の位置を始点としオブジェクト１２２ａ又は１２２ｂの表示領域内の任意の位置を終点とするスワイプ操作を検出すると、操作ロックを解除するとともに、当該スワイプ操作の終点の位置に対応する選択肢を特定する情報を出力する。
なお、ユーザ端末３０は、タッチパネルディスプレイ６５０に操作ロック画面が表示されている状態において、操作要素１１２の表示領域内の任意の位置を始点とし領域１１３の表示領域内の任意の位置を終点とするスワイプ操作を検出すると、質問に対する回答を省略し、単に操作ロックを解除する。
【００１４】
ここで、「スワイプ操作」とは、指又はタッチペンをタッチパネルに接触させ、接触させたまま接触位置（始点）から任意の方向に指又はタッチペンをスライドさせ、接触位置（始点）と異なる任意の位置（終点）で指又はタッチペンをタッチパネルから離す操作をいう。
誤操作の防止を目的とする操作ロックを解除するためのロック解除操作のパターンは、誤認識を回避するため、偶発的に発生し得ない程度（換言すれば、「意思ある操作」とみなせる程度）に複雑なものが好ましい。この点において、「スワイプ操作」は好適である。
【００１５】
［１−４．主要な効果］
本実施形態では、誤操作の防止を目的とする操作ロック画面が表示されている状態において、ロック解除操作が操作ロック画面に提示した質問に対する回答の選択操作を兼ねている。すなわち、ロック解除操作と選択操作とが一体化している。
このように、本実施形態では、誤操作の防止を目的とする入力操作のロックを解除しようとするユーザによる操作ロック画面上での操作（本実施形態では、スワイプ操作）にロック解除操作と回答の選択操作との二重の意味がある。この点において、操作ロック画面上でのロック解除操作が操作ロック画面に提示した質問に対する回答を選択するために有効に活用される。
【００１６】
［１−５．アンケートサービスの概要］
Ｗｅｂサーバ１０は、ユーザ端末３０の機能を利用して、アンケート主催者向けにアンケートサービスを提供する。
具体的には、Ｗｅｂサーバ１０は、主催者からの要求に応じて、アンケートの対象とする属性を有する複数のユーザがそれぞれ使用する複数のユーザ端末３０に質問（「提示情報」の一例。）とその回答の選択肢とを配信して操作ロック画面にこれらを表示させ、当該質問に対する回答の選択肢の中からロック解除操作を通じて選択された回答を特定する情報（「応答情報」の一例。）をユーザ端末３０から取得して蓄積する。
蓄積された情報は主催者に提供され、マーケティングや世論調査のための資料として利用される。
【００１７】
スマートフォンやタブレット端末を含むユーザ端末３０を使用するユーザの多くは、１日に何度も操作ロック画面を通して操作ロックを解除する。そのため、操作ロック画面をアンケートのプラットホームにすることで、多様なユーザに対してタイムリーにアプローチしやすくなる効果が期待される。
また、操作ロックを解除しようとするユーザは、操作ロック画面に提示された質問に対する回答を、あまり時間をかけずに選択すると考えられる。そのため、操作ロック画面をアンケートのプラットホームにすることで、多くのユーザから論理的思考の介在しない直観的な回答が得られやすくなる効果が期待される。
【００１８】
［２．実施形態の詳細］
［２−１．実施形態のシステムのネットワーク構成例］
図２に、実施形態のシステムのネットワーク構成例を示す。
本実施形態のシステム（「情報処理システム」の一例。）は、Ｗｅｂサーバ１０（「外部の装置」の一例。「情報処理装置」の一例。）と、ＤＢサーバ２０と、少なくとも１台のユーザ端末３０（「携帯装置」の一例。）とを含む。Ｗｅｂサーバ１０とユーザ端末３０とは、通信ネットワーク４０を介してデータの授受が可能である。
なお、通信ネットワーク４０は、既存のネットワーク（例えば、インターネット（Internet），携帯電話網，無線ＷＡＮ（Wireless Wide Area Network），無線ＬＡＮ（Wireless Local Area Network），イーサネット（Ethernet）（登録商標）など）のうち少なくともいずれかを含んでいてよい。
【００１９】
Ｗｅｂサーバ１０は、Ｗｅｂサーバプログラム（ＨＴＴＰデーモン（HyperText Transfer Protocol Daemon）ともいう。）がインストールされたサーバ装置（コンピュータ）である。
Ｗｅｂサーバ１０は、例えば、各種のコンテンツ（例えば、文書，画像など）の送信要求に応じて当該コンテンツを要求元に応答する機能を有する。
なお、複数のサーバ装置を連携させてＷｅｂサーバシステムを構成し、Ｗｅｂサーバ１０の機能を分散させることも可能である。
【００２０】
ＤＢサーバ２０は、ＤＢ（Database）サーバプログラムがインストールされたサーバ装置（コンピュータ）であり、内蔵する又は外部の接続可能な記憶装置２１とともにＤＢＭＳ（Database Management System）（「記憶手段」の一例。）を構成する。
ＤＢサーバ２０は、例えば、データの格納要求に応じて要求元から取得されるデータを記憶装置２１に格納する機能と、データの抽出要求に応じて記憶装置２１から抽出されるデータを要求元に応答する機能とを有する。
なお、複数のサーバ装置を連携させてＤＢサーバシステムを構成し、ＤＢサーバ２０の機能を分散させることも可能である。また、複数の記憶装置２１にデータを分散配置することも可能である。
【００２１】
ユーザ端末３０は、所定の操作ロックプログラムがインストールされた携帯装置（コンピュータ）である。
ユーザ端末３０は、データ表示機能，タッチ入力機能，データ通信機能などを有するとともに、新たなアプリケーションプログラムをインストールすることにより機能の拡張が可能である。
本実施形態のシステムでは、スマートフォン（smartphone），タブレット（tablet）端末，タブレットＰＣ（personal computer），小型のＰＣ，ウェアラブルなＰＣなどがユーザ端末３０として好適である。
【００２２】
［２−２．サーバ装置のハードウェア構成例］
図３に、サーバ装置のハードウェア構成例を示す。
典型的なサーバ装置は、ＭＰＵ（Micro-Processing Unit）やＲＯＭ（Read Only Memory）を含む制御処理装置３１０と、ＲＡＭ（Random Access Memory）を含む主記憶装置３２０と、ＨＤＤ（Hard Disc Drive）を含む補助記憶装置３３０と、マウスやキーボードを含む入力装置３４０と、ディスプレイやスピーカを含む出力装置３５０と、ネットワークカード（Network Interface Card）を含む通信制御装置３６０と、を有する。
【００２３】
主記憶装置３２０、補助記憶装置３３０、入力装置３４０、出力装置３５０及び通信制御装置３６０は、バスラインを介して制御処理装置３１０とそれぞれ接続される。
制御処理装置３１０は、（１）補助記憶装置３３０に記憶されたプログラムを主記憶装置３２０上に読み込み、（２）プログラムの指示に従って入力装置３４０と補助記憶装置３３０と通信制御装置３６０との少なくともいずれかからデータを受け取り、（３）取得したデータをプログラム通りに演算・加工した上で、（４）演算済み・加工済みのデータを補助記憶装置３３０と出力装置３５０と通信制御装置３６０との少なくともいずれかに送り出す。
【００２４】
［２−３．記憶装置に記憶されるデータの主要な項目］
［２−３（ａ）アンケートサービスユーザ関連情報］
図４（ａ）に、記憶装置２１に記憶されるアンケートサービスユーザ関連情報の主要な項目を例示する。
アンケートサービスユーザ関連情報は、アンケートサービスにおいてユーザ（アンケート回答者）を識別する「アンケートサービスユーザＩＤ」（キー項目）と、「性別」，「生年月」，「活動エリア」，「血液型」などの属性情報と、「アンケートポイント数」と、「ポイントサービスユーザＩＤ」とを含む。
【００２５】
「アンケートサービスユーザＩＤ」は、例えば操作ロックプログラムをインストールしたユーザ端末３０から最初のアクセスがあった際にＷｅｂサーバ１０が発行し、ユーザ端末３０の記憶部に記憶させるとともにＤＢサーバ２０を通じて記憶装置２１に格納させる。
「性別」，「生年月」，「活動エリア」，「血液型」などの属性情報は、アンケートの対象となるユーザを絞り込む際に利用されるタグとして機能する。属性情報の種類は、本実施形態において例示されている項目に限定されない。これらの情報は、操作ロックプログラムがインストールされた後の初期の段階で、例えばユーザ端末３０の操作ロック画面に質問を提示しロック解除操作を通してユーザに該当項目を選択させることにより取得することができる。
【００２６】
「アンケートポイント数」は、アンケートサービスにおいて質問（アンケート）に回答する度に付与されるポイントの蓄積数である。蓄積された「アンケートポイント」は、個人情報等に関連付けられた「ポイントサービスユーザＩＤ」に「アンケートサービスユーザＩＤ」を対応付けることにより、金銭的価値を有する「ポイント」に変換可能である。
「ポイントサービスユーザＩＤ」は、ポイントサービスにおけるユーザの識別情報である。「ポイントサービスユーザＩＤ」との対応付けがなされていない場合はｎｕｌｌ値とする。
なお、「アンケートサービスユーザＩＤ」は、各種のＩＤサービス（例えば、ＳＮＳ（Social Networking Service））と連携させることができる。
【００２７】
［２−３（ｂ）アンケート基本情報］
図４（ｂ）に、記憶装置２１に記憶されるアンケート基本情報の主要な項目を例示する。
アンケート基本情報は、アンケートサービスにおいてアンケートを特定する「アンケートＩＤ」（キー項目）と、操作ロック画面のレイアウトを特定する「テンプレートＩＤ」と、アンケートの主催者を特定する「主催者ＩＤ」と、「質問文」（「第１メッセージ」の一例。），単数又は複数の「回答の選択肢」（「第２メッセージ」の一例。）などのメッセージ群と、「提示期間」（例えば、年月日〜年月日，時分〜時分）と、「提示優先度」（例えば、所定範囲内の数値）と、「リダイレクト先ＵＲＬ」とを含む。
【００２８】
図５に、操作ロック画面のテンプレートの表示例を示す。
図５（ａ）は、選択肢４つのパターンのテンプレートの表示例である。この操作ロック画面は、時刻情報が表示される領域５１１と、操作要素５１２と、「ロック解除」との文言が表示される領域５１３と、提示情報（質問文）が表示される領域５２１と、４つの選択肢にそれぞれ対応する４つのオブジェクト（回答の選択肢）５２２ａ〜５２２ｄとを含む。
【００２９】
ユーザ端末３０は、タッチパネルディスプレイ６５０に操作ロック画面が表示されている状態において、操作要素５１２の表示領域内の任意の位置を始点としオブジェクト５２２ａ〜５２２ｄのいずれかの表示領域内の任意の位置を終点とするスワイプ操作を検出すると、操作ロックを解除するとともに、当該スワイプ操作の終点の位置に対応する選択肢を特定する情報を出力する。
なお、ユーザ端末３０は、タッチパネルディスプレイ６５０に操作ロック画面が表示されている状態において、操作要素５１２の表示領域内の任意の位置を始点とし領域５１３の表示領域内の任意の位置を終点とするスワイプ操作を検出すると、質問に対する回答を省略し、単に操作ロックを解除する。
【００３０】
図５（ｂ）は、選択肢３つのパターンのテンプレートの表示例である。この操作ロック画面は、時刻情報が表示される領域５３１と、３つの選択肢にそれぞれ対応する３つの操作要素５３２ａ〜５３２ｃと、「ロック解除」との文言が表示される領域５３３と、提示情報（質問文）が表示される領域５４１と、３つの選択肢にそれぞれ対応する３つのオブジェクト（回答の選択肢）５４２ａ〜５４２ｃとを含む。
【００３１】
ユーザ端末３０は、タッチパネルディスプレイ６５０に操作ロック画面が表示されている状態において、操作要素５３２ａ〜５３２ｃのいずれかの表示領域内の任意の位置を始点とし対応するオブジェクト５４２ａ〜５４２ｃのいずれかの表示領域内の任意の位置を終点とするスワイプ操作を検出すると、操作ロックを解除するとともに、当該スワイプ操作の始点又は終点の位置に対応する選択肢を特定する情報を出力する。
なお、ユーザ端末３０は、タッチパネルディスプレイ６５０に操作ロック画面が表示されている状態において、操作要素５３２ａ〜５３２Ｃのいずれかの表示領域内の任意の位置を始点とし領域５３３の表示領域内の任意の位置を終点とするスワイプ操作を検出すると、質問に対する回答を省略し、単に操作ロックを解除する。
【００３２】
図５（ｃ）は、選択肢１つ（Ｙｅｓか無回答かの２択）のパターンのテンプレートの表示例である。この操作ロック画面は、時刻情報が表示される領域５５１と、操作要素５５２と、「ロック解除」との文言が表示される領域５５３と、提示情報（質問文）とオブジェクト（回答）との少なくともいずれかが表示される領域５６１とを含む。
【００３３】
ユーザ端末３０は、タッチパネルディスプレイ６５０に操作ロック画面が表示されている状態において、操作要素５５２の表示領域内の任意の位置を始点としオブジェクト５６１の表示領域内の任意の位置を終点とするスワイプ操作を検出すると、操作ロックを解除するとともに、当該スワイプ操作の終点の位置に対応する選択肢を特定する情報を出力する。
なお、ユーザ端末３０は、タッチパネルディスプレイ６５０に操作ロック画面が表示されている状態において、操作要素５５２の表示領域内の任意の位置を始点とし領域５５３の表示領域内の任意の位置を終点とするスワイプ操作を検出すると、質問に対する回答を省略し、単に操作ロックを解除する。
【００３４】
［２−３（ｃ）アンケート配信条件］
図４（ｃ）に、記憶装置２１に記憶されるアンケート配信条件の主要な項目を例示する。
アンケート配信条件は、アンケートサービスにおいてアンケートを特定する「アンケートＩＤ」（キー項目）と、「配信期間」（例えば、年月日〜年月日，時分〜時分）と、「配信優先度」（例えば、所定範囲内の数値）と、「配信先属性」（例えば、性別，生年月，活動エリア，血液型など）とを含む。
【００３５】
［２−３（ｄ）アンケート回答情報］
図４（ｄ）に、記憶装置２１に記憶されるアンケート回答情報の主要な項目を例示する。
アンケート回答情報は、アンケートサービスにおいてアンケートを特定する「アンケートＩＤ」及び回答を特定する「回答ＩＤ」（両者合わせて複合キー項目である）と、アンケート回答者を特定する「回答者ＩＤ」（アンケートサービスユーザＩＤ）と、回答の内容を特定する「回答特定情報」と、回答時のユーザ端末３０の位置を示す「回答位置情報」や回答時期を示す「回答時期情報」などの付加情報とを含む。
【００３６】
［２−４．ユーザ端末のハードウェア構成例］
図６に、ユーザ端末のハードウェア構成例を示す。
本実施形態のシステムでは、制御処理部を構成するＭＰＵ６１０と、主記憶部を構成するＲＡＭ６２０と、補助記憶部を構成するＲＯＭ６３０及びＥＥＰＲＯＭ（Electrically Erasable Programmable Read-Only Memory）６４０と、入力出力部を構成するタッチパネルディスプレイ６５０と、無線通信制御部を構成するＮＩＣ（Network Interface Controller）６６０と、位置情報を出力するＧＰＳチップ６７０と、時刻情報を出力する時計６８０と、を少なくとも有する携帯型の装置（コンピュータ）をユーザ端末３０として用いる。
【００３７】
ＲＡＭ６２０と、ＲＯＭ６３０と、ＥＥＰＲＯＭ６４０と、タッチパネルディスプレイ６５０と、ＮＩＣ６６０と、ＧＰＳチップ６７０と、時計６８０とは、バスラインを介してＭＰＵ６１０と接続される。
ＭＰＵ６１０は、（１）ＥＥＰＲＯＭ６４０に記憶されたプログラムをＲＡＭ６２０上に読み込み、（２）プログラムの指示に従ってタッチパネルディスプレイ６５０とＥＥＰＲＯＭ６４０とＮＩＣ６６０との少なくともいずれかからデータを受け取り、（３）取得したデータをプログラム通りに演算・加工した上で、（４）演算済み・加工済みのデータをＥＥＰＲＯＭ６４０とタッチパネルディスプレイ６５０とＮＩＣ６６０との少なくともいずれかに送り出す。
【００３８】
ＮＩＣ６６０は、携帯電話網に接続する機能を提供する。ＮＩＣ６６０に代えて又はＮＩＣ６６０とともに、無線ＬＡＮに接続する機能を提供する無線ＬＡＮチップや、無線ＷＡＮに接続する機能を提供する無線ＷＡＮチップを有していてもよい。
ＥＥＰＲＯＭ６４０に代えて又はＥＥＰＲＯＭ６４０とともに、メモリカードを装着するメモリカードスロット，無線ＬＡＮに対応するストレージ装置に接続する機能を提供する無線ＬＡＮチップ，近距離の無線通信（例えば、Bluetooth（登録商標），ＩｒＤＡ（Infrared Data Association），ＮＦＣ（Near Field Communication）など）に対応するストレージ装置にアクセスするための専用チップを有していてもよい。
【００３９】
タッチパネルディスプレイ６５０に代えて又はタッチパネルディスプレイ６５０とともに、ユーザ端末３０から物理的に分離した入出力装置に接続可能な構成を採用することもできる。例えば、当該入出力装置は、タッチパネルディスプレイ６５０と同等の機能を有するタッチパネルディスプレイを有し、近距離の無線通信（例えば、Bluetooth（登録商標），ＩｒＤＡ，ＮＦＣなど）によりユーザ端末３０と接続させるとよい。
この場合、ユーザ端末３０（「携帯装置」の一例。）は、入出力装置のタッチパネルディスプレイ（「表示手段」の一例。）に質問文（「提示情報」の一例。）と当該質問文が示す質問に対する回答の選択肢（「オブジェクト」の一例。）とを含む操作ロック画面を表示させ、入出力装置のタッチパネルディスプレイ（「入力手段」の一例。）上で回答の選択操作（「所定の応答操作」の一例。）を兼ねる所定のロック解除操作により、ユーザに回答を選択させることになる。
【００４０】
［３．実施形態のシステムの機能］
図７に、ＤＢサーバ、Ｗｅｂサーバ及びユーザ端末の機能構成例をそれぞれ示す。
ＤＢサーバ２０の機能は、サーバ装置向けＯＳ（Operating System）と当該ＯＳ上で動作するＤＢサーバプログラムとがサーバ装置にそれぞれインストールされることにより実現される。
サーバ装置にインストールされるべきプログラムは、各種の記録媒体（例えば、ＣＤ（Compact Disc），ＤＶＤ（Digital Versatile Disk），ＭＯディスク（Magneto-Optical disk），フラッシュメモリ（flash memory）など）に記録された状態で配布され当該記録媒体からサーバ装置に読み込まれてもよいし、通信ネットワークを介し搬送波に重畳させてサーバ装置に供給されてもよい。
【００４１】
Ｗｅｂサーバ１０の機能は、サーバ装置向けＯＳと当該ＯＳ上で動作するＷｅｂサーバプログラム（ＨＴＴＰデーモン）とがサーバ装置にそれぞれインストールされることにより実現される。
サーバ装置にインストールされるべきプログラムは、各種の記録媒体（例えば、ＣＤ，ＤＶＤ，ＭＯディスク，フラッシュメモリなど）に記録された状態で配布され当該記録媒体からサーバ装置に読み込まれてもよいし、通信ネットワークを介し搬送波に重畳させてサーバ装置に供給されてもよい。
【００４２】
ユーザ端末３０の機能は、携帯装置向けＯＳと当該ＯＳ上で動作する操作ロックプログラムとがユーザ端末３０にそれぞれインストールされることにより実現される。
ユーザ端末３０にインストールされるべきプログラムは、通信ネットワークを介し搬送波に重畳させてユーザ端末３０に供給されるのが一般的である。なお、各種の記録媒体（例えば、ＣＤ，ＤＶＤ，ＭＯディスク，フラッシュメモリなど）に記録された状態で配布され当該記録媒体からユーザ端末３０に読み込まれてもよい。
【００４３】
［３−１．ＤＢサーバの機能］
図７に示すように、ＤＢサーバ２０は、データ管理部７０１と、データ記憶部７０２とを具備する。
データ管理部７０１は、外部からの格納要求に応じてデータ記憶部７０２にデータを記憶させるとともに、外部からの抽出要求に応じてデータ記憶部７０２に記憶されるデータを提供する。
【００４４】
［３−２．Ｗｅｂサーバの機能］
図７に示すように、Ｗｅｂサーバ１０は、抽出要求部７１１と、配信部７１２と、受領部７１３と、格納要求部７１４とを具備する。
抽出要求部７１１は、記憶装置２１に記憶されるアンケート配信条件に基づき記憶装置２１に記憶されるアンケート基本情報を読み出すようＤＢサーバ２０に要求し、ＤＢサーバ２０から取得されるアンケート基本情報のうち必要な項目を配信部７１２に出力する。
【００４５】
配信部７１２は、抽出部７１１から取得される項目を含む配信情報を、通信ネットワーク４０を介してユーザ端末３０に配信する。
図８（ａ）に、配信情報の主要な項目を例示する。
配信情報は、アンケート基本情報に含まれる項目のうち、「アンケートＩＤ」（キー項目）と、「テンプレートＩＤ」と、「配信時期情報」と、「質問文」（「第１メッセージ」の一例。），単数又は複数の「回答の選択肢」（「第２メッセージ」の一例。）などのメッセージ群と、「提示期間」と、「提示優先度」とを含む。
【００４６】
受領部７１３は、ユーザ端末３０から送出される応答情報を通信ネットワーク４０を介して受領し、格納部５４０ａに出力する。
図８（ｂ）に、応答情報の主要な項目を例示する。
応答情報は、「アンケートＩＤ」（キー項目）と、回答者を特定する「回答者ＩＤ」（アンケートサービスユーザＩＤ）と、回答の選択肢を特定する「回答特定情報」と、回答時のユーザ端末３０の位置を示す「回答位置情報」とを含む。
【００４７】
格納要求部７１４は、受領部７１３から取得される応答情報をＤＢサーバ２０に出力し、記憶装置２１に書き込むよう要求する。
応答情報の各項目と、応答情報の受領時期を示す「回答時期情報」とは、アンケート回答情報（図４（ｄ））として記憶装置２１に記憶される。
【００４８】
［３−３．ユーザ端末の機能］
図７に示すように、ユーザ端末３０は、取得部７２１と、保持部７２２と、選択部７２３と、提示部７２４と、表示部７２５と、検出部７３１と、決定部７３２と、応答部７３３と、記憶部７３４と、提供部７３５とを具備する。
このうち、取得部７２１と、保持部７２２と、表示部７２５と、検出部７３１と、記憶部７３４と、提供部７３５の機能は、いずれも、図６に例示するハードウェア構成のユーザ端末３０にＯＳがインストールされることにより実現される。一方、選択部７２３と、提示部７２４と、決定部７３２と、応答部７３３の機能は、いずれも、ＯＳがインストールされたユーザ端末３０に、さらに当該ＯＳ上で動作する所定の操作ロックプログラムがインストールされることにより実現される。
【００４９】
取得部７２１は、通信ネットワーク４０を介してＷｅｂサーバ１０に配信情報の更新を要求し、Ｗｅｂサーバ１０から配信される配信情報（図８（ａ））を取得（受信）し、保持部７２２に保持（キャッシュ）させる。
選択部７２３は、保持部７２２に保持される配信情報の中から、（１）「提示期間」内であること、（２）「提示優先度」が高いこと、（３）「配信時期情報」が示す時期が新しいこと、をこの順で優先して配信情報を選択し、選択された配信情報の必要項目を読み出し、提示部７２４に出力する。
提示部７２４は、「テンプレートＩＤ」により特定されるテンプレートの該当部分に選択部７２３から出力される項目を埋め込んで操作ロック画面を生成し、表示部７２５に表示させる。
【００５０】
検出部７３１は、表示部７２５に操作ロック画面が表示されている状態において、回答の選択操作を兼ねるロック解除操作（本実施形態では、スワイプ操作）を検出し、スワイプ操作の終点の位置を示す終点位置情報を決定部７３２に出力する。
決定部７３２は、検出部７３１から取得される終点位置情報が示す終点の位置を包含する領域を占めるオブジェクトに対応する回答を特定する回答特定情報を決定し、応答部７３３に出力する。
応答部７３３は、決定部７３２から取得される回答特定情報とＧＰＳチップ６７０から出力される位置情報とを含む応答情報（図８（ｂ））がＷｅｂサーバ１０に送信されるよう、当該応答情報を一時的に記憶する記憶部７３４に出力する（スプーリング（spooling）する）。
提供部７３５は、記憶部７３４に一時的に記憶される応答情報を取得し、通信ネットワーク４０を介してＷｅｂサーバ１０に提供（送信）する。例えば、ＨＴＴＰのｐｏｓｔメソッドにより提供することができる。
【００５１】
［４．実施形態のシステムによる情報処理］
図９及び図１０に、本実施形態のシステムによる情報処理の手順を例示する。
本実施形態のシステムによる情報処理は、Ｗｅｂサーバ１０の制御処理装置と、ＤＢサーバ２０の制御処理装置と、Ｗｅｂサーバ１０の制御処理部とが協働することにより実行される。
【００５２】
［４−１．配信情報の取得］
ユーザ端末３０の取得部７２１は、所定の更新条件（例えば、保持部７２２に保持される未提示の配信情報が所定数以下になった，前回の更新時から所定期間が経過した，所定時刻になったなど）を満たす場合に（Ｓ９０２ａ：Ｙｅｓ）、通信ネットワーク４０を介してＷｅｂサーバ１０に配信情報を要求する（Ｓ９０４ａ）。本実施形態では、配信情報の要求に「アンケートサービスユーザＩＤ」を特定し得る情報が含まれるものとする。
要求を受領する（９０４ｂ）と、Ｗｅｂサーバ１０の抽出部７１１は、特定される「アンケートサービスユーザＩＤ」に関連付けられた属性情報と記憶装置２１に記憶されるアンケート配信条件とに基づき記憶装置２１に記憶されるアンケート基本情報を所定数だけ読み出すようＤＢサーバ２０に要求し、ＤＢサーバ２０からそれぞれ取得されるアンケート基本情報のうち必要な項目を配信部７１２に出力する（Ｓ９０６ｂ）。
【００５３】
Ｗｅｂサーバ１０の配信部７１２は、抽出部７１１から取得される項目を含む配信情報（図８（ａ））を、通信ネットワーク４０を介してユーザ端末３０に配信する（Ｓ９０８ｂ）。
ユーザ端末３０の取得部７２１は、Ｗｅｂサーバ１０から配信される配信情報を取得（受信）し（Ｓ９０８ａ）、保持部７２２に保持される配信情報の少なくとも一部を更新する（Ｓ９１０ａ）。
なお、Ｗｅｂサーバ１０において「アンケートサービスユーザＩＤ」に対応付けて配信済みの配信内容を記憶しておき又はユーザ端末３０から表示済み配信情報のリストを受領し、未表示の配信情報のみを配信するように構成することも可能である。
【００５４】
［４−２．操作ロックの発動］
ユーザ端末３０は、操作ロックを発動する条件を具備した場合（例えば、ディスプレイをＯＦＦにする操作がなされた場合，操作がないまま所定時間が経過した場合など）に（Ｓ９１２ａ：Ｙｅｓ）、操作ロックを発動する（Ｓ９１４ａ）。ここで、デフォルトの設定では操作ロックが発動するとディスプレイがＯＦＦになるが、ＯＦＦにせずにタッチパネルディスプレイ６５０に操作ロック画面を表示させるように構成してもよい。
【００５５】
［４−３．配信情報の更新］
ユーザ端末３０の取得部７２１は、ディスプレイがＯＦＦの状態でも所定の更新条件を満たすか否かを判定する。所定の更新条件（例えば、保持部７２２に保持される未提示の配信情報が所定数以下になった，前回の更新時から所定期間が経過した，所定時刻になった，など）を満たす場合に（Ｓ９２０ａ：Ｙｅｓ）、通信ネットワーク４０を介してＷｅｂサーバ１０に配信情報を要求する（Ｓ９２２ａ）。本実施形態では、配信情報の要求に「アンケートサービスユーザＩＤ」を特定し得る情報が含まれるものとする。
このように、操作ロックの発動後にも配信情報が更新されることにより、よりタイムリーなアンケート情報が提示されやすくなる。
【００５６】
要求を受領する（Ｓ９２２ｂ）と、Ｗｅｂサーバ１０の抽出部７１１は、特定される「アンケートサービスユーザＩＤ」に関連付けられた属性情報と記憶装置２１に記憶されるアンケート配信条件とに基づき記憶装置２１に記憶されるアンケート基本情報を所定数だけ読み出すようＤＢサーバ２０に要求し、ＤＢサーバ２０からそれぞれ取得されるアンケート基本情報のうち必要な項目を配信部７１２に出力する（Ｓ９２４ｂ）。
なお、Ｗｅｂサーバ１０において「アンケートサービスユーザＩＤ」に対応付けて配信済みの配信内容を記憶しておき又はユーザ端末３０から表示済み配信情報のリストを受領し、未表示の配信情報のみを配信するように構成することも可能である。
【００５７】
Ｗｅｂサーバ１０の配信部７１２は、抽出部７１１から取得される項目を含む配信情報（図８（ａ））を、通信ネットワーク４０を介してユーザ端末３０に配信する（Ｓ９２６ｂ）。
ユーザ端末３０の取得部７２１は、Ｗｅｂサーバ１０から配信される配信情報を取得（受信）し（Ｓ９２６ａ）、保持部７２２に保持されている配信情報の少なくとも一部を更新する（Ｓ９２８ａ）。
【００５８】
［４−４．操作ロック画面の表示］
図１０に進み、ユーザ端末３０の選択部７２３は、操作ロック画面を表示させる条件を具備した場合（例えば、ディスプレイがＯＮになった場合）に（Ｓ９３０ａ：Ｙｅｓ）、保持部７２２に保持される配信情報の中から、（１）「提示期間」内であること、（２）「提示優先度」が高いこと、（３）「配信時期情報」が示す時期が新しいこと、をこの順で優先して配信情報を選択し、選択された配信情報の必要項目を読み出し、提示部７２４に出力する（Ｓ９３２ａ）。
このように、操作ロックの発動後（特に、操作ロック画面を表示させる直前）に配信情報を選択することにより、操作ロックの発動後に提示期間の始期が到来し優先度が上がったアンケート情報や、操作ロックの発動後に取得されたタイムリーなアンケート情報が、操作ロック画面に提示されやすくなる。
ユーザ端末３０の提示部７２４は、選択された配信情報の「テンプレートＩＤ」により特定されるテンプレートの該当部分に選択部７２３から出力される項目を埋め込んで操作ロック画面を生成し、表示部７２５に表示させる（Ｓ９３４ａ）。
【００５９】
なお、ユーザ端末３０が電話機能を有し、かつ、操作ロックの発動中にユーザ端末３０に電話がかかってきた場合には、操作ロック画面が表示されないように制御する。
例えば、「ユーザによる能動的な操作によりディスプレイがＯＮになった場合」に限り操作ロック画面が表示されるように制御する。これにより、本実施形態における操作ロックプログラムが着信に対するスムーズな応答の妨げになる事態を回避することができる。
【００６０】
［４−５．ロック解除操作の検出］
表示部７２５に操作ロック画面が表示されている状態においてユーザ端末３０の検出部７３１が所定のロック解除操作（本実施形態では、スワイプ操作）を検出した場合に（Ｓ９３６ａ：Ｙｅｓ）、ユーザ端末３０は操作ロックを解除する（Ｓ９３８ａ）。
また、検出されたロック解除操作が回答の選択操作を兼ねる操作である場合に（Ｓ９４０ａ：Ｙｅｓ）、決定部７３２は、検出部７３１から取得される終点位置情報が示す終点の位置を包含する領域を占めるオブジェクトに対応する回答を特定する回答特定情報を決定し、応答部７３３に出力する（Ｓ９４２ａ）。
ユーザ端末３０の応答部７３３は、決定部７３２から取得される回答特定情報とＧＰＳチップ６７０から取得される位置情報とを含む応答情報（図８（ｂ））がＷｅｂサーバ１０に送信されるよう、当該応答情報を一時的に記憶する記憶部７３４に出力する（スプーリングする）。
【００６１】
［４−６．応答情報の提供］
ユーザ端末３０の提供部７３５は、記憶部７３４に一時的に記憶される応答情報を取得し、通信ネットワーク４０を介してＷｅｂサーバ１０に提供（送信）する（Ｓ９４４ａ）。
応答情報を受領する（Ｓ９４４ｂ）と、Ｗｅｂサーバ１０の格納部７１４は、受領部７１３から取得される応答情報をＤＢサーバ２０に出力し、記憶装置２１に書き込むよう要求する（Ｓ９４６ｂ）。
応答情報の各項目は、応答情報の受領時期を示す「回答時期情報」を加えて、アンケート回答情報（図４（ｄ））として記憶装置２１に記憶される。
【００６２】
［４−７．リダイレクト］
Ｗｅｂサーバ１０は、応答情報に含まれる「アンケートＩＤ」に関連付けられた「リダイレクト先ＵＲＬ」に、例えばアンケートＩＤや回答の選択肢を特定可能なパラメータを付加して、ユーザ端末３０に応答する（Ｓ９４８ｂ）。
リダイレクト先を示すＵＲＬを取得（受信）する（Ｓ９４８ａ）と、ユーザ端末３０は、応答されたＵＲＬにより特定されるＷｅｂサイトを管理するＷｅｂサーバ宛にパラメータを含むコンテンツ送信要求を自動的に送信する（Ｓ９５０ａ）。
要求を受領する（Ｓ９５０ｂ）と、当該Ｗｅｂサーバ１０は、取得したパラメータにより特定されるアンケートの内容や回答の内容に関連するＷｅｂページをユーザ端末３０に応答する（Ｓ９５２ｂ）。
ユーザ端末３０は、応答されるコンテンツを取得（Ｓ９５２ａ）し、タッチパネルディスプレイ６５０に当該コンテンツを表示させる（Ｓ９５４ａ）。
【００６３】
［５．他の使用例］
［５−１．主要な特徴］
本使用例では、第１ユーザが使用するユーザ端末３０（「携帯装置」の一例。）のタッチパネルディスプレイ６５０（「表示手段」の一例。）に第２ユーザからのメッセージ（「提示情報」の一例。）と当該メッセージに対する返答メッセージの選択肢（「オブジェクト」の一例。）とを含む操作ロック画面を表示させ、タッチパネルディスプレイ６５０（「入力手段」の一例。）上で返答の選択操作（「所定の応答操作」の一例。）を兼ねる所定のロック解除操作により、第１ユーザに返答内容を選択させる。
メッセージを確認した旨の情報（「応答情報」の一例。）は、ユーザ端末３０からＷｅｂサーバ１０又は他のサーバ装置（例えば、電子メールサービスを提供するメールサーバ，ＳＭＳ（Short Message Service）を提供するＳＭＳサーバ，チャットサービスを提供するチャットサーバなど）（いずれも「外部の装置」の一例。）を介して、第２ユーザが使用するユーザ端末その他の装置に送信される。
【００６４】
［５−２．操作ロック画面の構成］
本使用例において操作ロック画面は、時刻情報が表示される領域と、操作要素と、「ロック解除」との文言が表示される領域と、提示情報（例えば、第２ユーザからのメッセージを示すテキスト，画像（静止画，動画）などの要素）が表示される領域と、当該メッセージに対する返答メッセージの選択肢に対応する単数又は複数のオブジェクト（テキスト，画像（静止画，動画）などの要素）とを含む。
タッチパネルディスプレイ６５０の一部又は全部は、操作ロックが機能している状態において、ユーザの指やタッチペンによるタッチ入力（例えば、パネルへの接触の有無及び接触位置の入力）を受け付ける。
【００６５】
［５−３．ロック解除操作の手順］
ユーザ端末３０は、タッチパネルディスプレイ６５０に操作ロック画面が表示されている状態において、操作要素の表示領域内の任意の位置を始点としいずれかのオブジェクトの表示領域内の任意の位置を終点とするスワイプ操作を検出すると、操作ロックを解除するとともに、当該スワイプ操作の終点の位置に対応する選択肢を示す情報を出力する。
なお、ユーザ端末３０は、タッチパネルディスプレイ６５０に操作ロック画面が表示されている状態において、操作要素の表示領域内の任意の位置を始点とし「ロック解除」との文言が表示される領域内の任意の位置を終点とするスワイプ操作を検出すると、メッセージに対する返答を省略し、単に操作ロックを解除する。
【００６６】
［５−４．主要な効果］
本使用例では、誤操作の防止を目的とする操作ロック画面が表示されている状態において、ロック解除操作が操作ロック画面に提示したメッセージに対する返答の選択操作を兼ねている。すなわち、ロック解除操作と返答の選択操作とが一体化している。
このように、本使用例では、誤操作の防止を目的とする入力操作のロックを解除しようとするユーザによる操作ロック画面上での操作（本使用例では、スワイプ操作）にロック解除操作と返答の選択操作との二重の意味がある。この点において、操作ロック画面上でのロック解除操作が操作ロック画面に提示したメッセージに対する返答内容を選択するために有効に活用される。
【００６７】
［５−５．置きメモサービスの概要］
Ｗｅｂサーバ１０は、第１ユーザが使用するユーザ端末３０の機能を利用して、第２ユーザ向けに置きメモサービスを提供する。
具体的には、Ｗｅｂサーバ１０は、第２ユーザからの要求に応じて、当該第２ユーザが指定する単数又は複数の第１ユーザがそれぞれ使用する単数又は複数のユーザ端末３０にメッセージ（「提示情報」の一例。）と当該メッセージに対するその返答の選択肢とを配信して操作ロック画面にこれらを表示させ、当該メッセージに対する返答の選択肢の中からロック解除操作を通じて選択された返答を特定する情報（「応答情報」の一例。）をユーザ端末３０から取得して第２ユーザに提供する。
【００６８】
［６．変形例］
［６−１．操作ロック画面の生成］
［６−１（ａ）配信情報の選択基準］
上述の実施形態において、ユーザ端末３０の選択部７２３は、保持部７２２に保持される配信情報の中から、（１）「提示期間」内であること、（２）「提示優先度」が高いこと、（３）「配信時期情報」が示す時期が新しいこと、をこの順で優先して配信情報を選択する（図１０のＳ９３２ａ）。
これに対し、ユーザ端末３０の現在位置をさらに加味して配信情報を選択するように構成することもできる。この場合、アンケート基本情報（図４（ｂ））や配信情報（図８（ａ））には例えば「提示エリア」が含まれるものとし、選択部７２３は、例えば、保持部７２２に保持される配信情報の中から、（１）「提示期間」内でありかつ「提示エリア」内にいること、（２）「提示優先度」が高いこと、（３）「配信時期情報」が示す時期が新しいこと、をこの順で優先して配信情報を選択する。
【００６９】
［６−１（ｂ）配信情報の取得タイミング］
上述の実施形態において、取得部７２１は、操作ロックが発動する前又は後に、所定の更新条件を満たす場合にＷｅｂサーバ１０に配信情報の更新を要求し（図９のＳ９０４ａ，Ｓ９２２ａ）、配信情報を保持部７２２に複数保持（キャッシュ）させる（図９のＳ９１０ａ，Ｓ９２８ａ）。
これに対し、配信情報をユーザ端末３０側で保持せずに、操作ロック画面をタッチパネルディスプレイ６５０に表示させる都度、リアルタイムでＷｅｂサーバ１０から配信情報を取得するように構成することもできる。この場合、選択部７２３に相当する選択機能をＷｅｂサーバ１０が実装するとよい。
【００７０】
［６−１（ｃ）操作ロック画面の生成主体］
上述の実施形態では、ユーザ端末３０の提示部７２４が、選択された配信情報の「テンプレートＩＤ」により特定されるテンプレートの該当部分に選択部７２３から出力される項目を埋め込んで操作ロック画面を生成し、表示部７２５に表示させる（図１０のＳ９３４ａ）。
これに対し、Ｗｅｂサーバ１０が、所定のテンプレートに必要な項目を埋め込んで操作ロック画面に表示させる画像を生成するように構成することもできる。この場合、Ｗｅｂサーバ１０は生成した画像を配信情報として配信し、ユーザ端末３０は当該画像をタッチパネルディスプレイ６５０に表示させる。
【００７１】
［６−２．ロック解除操作のバリエーション］
上述の実施形態において、ユーザ端末３０は、タッチパネルディスプレイ６５０に操作ロック画面が表示されている状態において、操作要素１１２の表示領域内の任意の位置を始点としオブジェクト１２２ａ又は１２２ｂの表示領域内の任意の位置を終点とするスワイプ操作を検出すると、操作ロックを解除するとともに、当該スワイプ操作の終点の位置に対応する選択肢を特定する情報を出力する。
これに対し、例えば（ａ）ピンチイン操作，（ｂ）シェイク操作，（ｃ）プレス操作，（ｄ）タップ操作などがロック解除操作と応答操作を兼ねるように構成することもできる。
【００７２】
［６−２（ａ）ピンチイン操作］
ピンチイン操作とは、２本の指をタッチパネルに接触させ、接触させたまま指を近付けていく操作をいう。
この場合、例えば、図１においてオブジェクト１２２ａに対応する回答を選択するには、操作要素１１２が表示される領域内の任意の点とオブジェクト１２２ａが表示される領域内の任意の点とを略同時にタッチし、２つの接触位置を相対的に近付ける。オブジェクト１２２ｂに対応する回答を選択する場合も同様である。
【００７３】
［６−２（ｂ）シェイク操作］
シェイク操作とは、ユーザ端末３０自体を揺らす操作をいう。
この場合、例えば、図１のオブジェクト１２２ａ，オブジェクト１２２ｂに回数１，回数２をそれぞれ割り当てるものとし、オブジェクト１２２ａに対応する回答を選択するには、所定の閾値以上の加速度が生じるように１回だけユーザ端末３０をシェイクする。オブジェクト１２２ｂに対応する回答を選択する場合も同様である。
なお、誤認識を回避するため、シェイク操作と他の操作を組み合わせてロック解除操作として定義してもよい。例えば、操作要素１１２又は選択したい回答に対応するオブジェクトが表示される領域内の任意の点をタッチし続けた状態（プレスした状態）でなされるシェイク操作をロック解除操作として定義してもよい。また、例えば、シェイク操作により生じる加速度の大きさを、アナログ値として利用してもよい。
【００７４】
［６−２（ｃ）プレス操作］
プレス操作（タッチアンドホールド操作，長押し操作）とは、指又はタッチペンをタッチパネルに接触させた状態を一定時間維持する操作をいう。
この場合、例えば、所定の閾値（例えば、ｎ秒）により分割される２つの区間（ｎ秒未満の区間，ｎ秒以上の区間）を図１のオブジェクト１２２ａとオブジェクト１２２ｂにそれぞれ割り当てるものとし、オブジェクト１２２ａに対応する回答を選択するには、操作要素１１２が表示される領域内の任意の点をｎ秒未満の時間だけプレスする。オブジェクト１２２ｂに対応する回答を選択する場合も同様である。
なお、誤認識を回避するため、プレス操作の前又は後でスワイプ操作をさせるように構成してもよい。
【００７５】
［６−２（ｄ）タップ操作］
タップ操作とは、指又はタッチペンをタッチパネルに接触させ、接触位置から短時間で離す操作をいう。
この場合、例えば、図１においてオブジェクト１２２ａに対応する回答を選択するには、オブジェクト１２２ａが表示される領域内の任意の点をタッチする。オブジェクト１２２ｂに対応する回答を選択する場合も同様である。
なお、誤認識を回避するため、タップ操作と他の操作を組み合わせたり、複数のタップ操作を組み合わせたりして、ロック解除操作として定義してもよい。例えば、操作要素１１２が表示される領域内の任意の点をタッチし続けた状態（プレスした状態）でなされるタッチ操作をロック解除操作として定義してもよい。
【００７６】
［６−３．ロック解除を通じた応答］
［６−３（ａ）回答の決定］
上述の実施形態において、決定部７３２は、終点位置情報が示すスワイプ操作の終点の位置を包含する領域を占めるオブジェクトに対応する回答を特定する回答特定情報を決定する（図１０のＳ９４２ａ）。
これに対し、スワイプ操作の始点の位置又はスワイプの軌跡上の任意の位置を包含する領域を占めるオブジェクトに対応する回答を特定する回答特定情報を決定するように構成することもできる。
【００７７】
［６−３（ｂ）応答情報の内容］
上述の実施形態において、応答部７３３は、決定部７３２から取得される回答特定情報を含む応答情報（図８（ｂ））がＷｅｂサーバ１０に送信されるよう出力し、提供部７３５は、当該応答情報をＷｅｂサーバ１０に提供（送信）する（図１０のＳ９４４ａ）。
これに対し、ロック解除操作を通じたユーザの選択に応じて、ユーザ端末３０に蓄積されている情報をＷｅｂサーバ１０に提供（送信）するように構成することもできる。例えば、ユーザ端末３０が操作ロックの発動中にＧＰＳチップ６７０から位置情報を一定時間おきに取得して蓄積しておき、これらの一連の位置情報を含む応答情報をＷｅｂサーバ１０に提供してもよい。
ユーザ端末３０から提供される一連の位置情報は、各種の交通量調査などに活用することができる。
【００７８】
［７．他の実施形態］
［７−１．序列情報の取得］
［７−１（ａ）一連のスワイプ操作］
上述の実施形態において、決定部７３２は、スワイプ操作の終点位置情報が示す終点の位置を包含する領域を占めるオブジェクトに対応する回答を特定する回答特定情報を決定する（図１０のＳ９４２ａ）。
これに対し、操作ロック画面に含まれる複数のオブジェクトのうち少なくとも２つを順次操作対象とする単数のロック解除操作が検出された場合に、検出されたロック解除操作により複数のオブジェクトが操作対象となった順序を特定可能な応答情報を出力するように構成することもできる。
【００７９】
図１１（ａ）に、選択肢４つのパターンの操作ロック画面の表示例を示す。
この操作ロック画面は、時刻情報が表示される領域１１１１と、操作要素１１１２と、「ロック解除」との文言が表示される領域１１１３と、提示情報（質問文）が表示される領域１１２１と、４つの選択肢にそれぞれ対応する４つのオブジェクト（回答の選択肢）１１２２ａ〜１１２２ｄとを含む。
ユーザ端末３０は、タッチパネルディスプレイ６５０に操作ロック画面が表示されている状態において、例えば、操作要素１１１２の表示領域内の任意の位置を始点としオブジェクト１１２２ｃ→１１２２ａ→１１２２ｄ→１１２２ｂを順次通過する一連のスワイプ操作を検出すると、操作ロックを解除するとともに、当該スワイプ操作により操作対象となった順序を特定可能な応答情報を出力する。順序が入れ替わった場合も同様である。
【００８０】
図１１（ｂ）に、選択肢３つのパターンの操作ロック画面の表示例を示す。
この操作ロック画面は、時刻情報が表示される領域１１３１と、操作要素１１３２と、「ロック解除」との文言が表示される領域１１３３と、提示情報（質問文）が表示される領域１１４１と、３つの選択肢にそれぞれ対応する３つのオブジェクト（回答の選択肢）１１４２ａ〜１１４２ｃとを含む。
ユーザ端末３０は、タッチパネルディスプレイ６５０に操作ロック画面が表示されている状態において、例えば、操作要素１１３２の表示領域内の任意の位置を始点としオブジェクト１１４２ｃ→１１４２ａ→１１４２ｂを順次通過する一連のスワイプ操作を検出すると、操作ロックを解除するとともに、当該スワイプ操作により操作対象となった順序を特定可能な応答情報を出力する。順序が入れ替わった場合も同様である。
【００８１】
［７−１（ｂ）連続する複数の操作］
単数のオブジェクトを操作対象とする単数の操作（例えば、スワイプ操作，ピンチイン操作，タップ操作など）が所定時間内に順次検出された場合に、検出された操作により複数のオブジェクトが操作対象となった順序を特定可能な応答情報を出力するように構成することもできる。
例えば、ユーザ端末３０は、図５（ｂ）の操作ロック画面がタッチパネルディスプレイ６５０に表示されている状態において、「操作要素５３２ｂの表示領域内の任意の位置を始点とし対応するオブジェクト５４２ｂの表示領域内の任意の位置を終点とするスワイプ操作」→「操作要素５３２ａの表示領域内の任意の位置を始点とし対応するオブジェクト５４２ａの表示領域内の任意の位置を終点とするスワイプ操作」→「操作要素５３２ｃの表示領域内の任意の位置を始点とし対応するオブジェクト５４２ｃの表示領域内の任意の位置を終点とするスワイプ操作」を所定時間内にこの順序で検出すると、操作ロックを解除するとともに、これらのスワイプ操作により操作対象となった順序を特定可能な応答情報を出力する。順序が入れ替わった場合も同様である。
【００８２】
［７−２．アナログ値の取得］
上述の実施形態において、決定部７３２は、終点位置情報が示すスワイプ操作の終点の位置を包含する領域を占めるオブジェクトに対応する回答を特定する回答特定情報を決定する（図１０のＳ９４２ａ）。
これに対し、特定の観点に対応する軸を操作ロック画面内に配置し、ロック解除操作により軸上の位置を指定させるように構成することもできる。これにより、提示された命題に関するアナログ値（厳密には、細分化されたデジタル値）を収集することが可能になる。
例えば、「現在の○○党政権をどのくらい評価する？」との情報を提示し、軸の一方に「評価しない」と、他方に「評価する」とそれぞれ表示させ、軸上の位置をユーザに指定させることにより、評価の度合いを示す情報を取得することができる。
【００８３】
［７−２（ａ）軸上の位置を直接指定させる］
図１２（ａ）に、直線状の軸を含む操作ロック画面の表示例を示す。
この操作ロック画面は、時刻情報が表示される領域１２１１と、操作要素１２１２と、「ロック解除」との文言が表示される領域１２１３と、提示情報（例えば、質問文，命題文）が表示される領域１２２１と、直線状の軸１２２２と、「観点」が表示される領域１２２３ａ及び１２２３ｂとを含む。
ユーザ端末３０は、タッチパネルディスプレイ６５０に操作ロック画面が表示されている状態において、例えば、操作要素１２１２の表示領域内の任意の位置を始点とし軸１２２２上の任意の点を終点とし又はこの点を通過するスワイプ操作を検出すると、操作ロックを解除するとともに、当該スワイプ操作が描く軌跡と軸１２２２との交点の位置を特定可能な応答情報を出力する。
【００８４】
図１２（ｂ）に、曲線状の軸を含む操作ロック画面の表示例を示す。
この操作ロック画面は、時刻情報が表示される領域１２３１と、操作要素１２３２と、「ロック解除」との文言が表示される領域１２３３と、提示情報（例えば、質問文，命題文）が表示される領域１２４１と、曲線状の軸１２４２と、「観点」が表示される領域１２４３ａ及び１２４３ｂとを含む。
ユーザ端末３０は、タッチパネルディスプレイ６５０に操作ロック画面が表示されている状態において、例えば、操作要素１２３２の表示領域内の任意の位置を始点とし軸１２４２上の任意の点を終点とし又はこの点を通過するスワイプ操作を検出すると、操作ロックを解除するとともに、当該スワイプ操作が描く軌跡と軸１２４２との交点の位置を特定可能な応答情報を出力する。
【００８５】
［７−２（ｂ）軸上の位置を間接指定させる］
図１３（ａ）に、直交する２本の直線状の軸を含む操作ロック画面の表示例を示す。
この操作ロック画面は、時刻情報が表示される領域１３１１と、操作要素１３１２と、「ロック解除」との文言が表示される領域１３１３と、提示情報（例えば、質問文，命題文）が表示される領域１３２１と、直交する２本の直線状の軸１３２２と、「観点」が表示される領域１３２３ａ、１３２３ｂ、１３２３ｃ及び、１３２３ｄとを含む。
ユーザ端末３０は、タッチパネルディスプレイ６５０に操作ロック画面が表示されている状態において、例えば、操作要素１３１２の表示領域内の任意の位置を始点とし２本の軸により形成される座標平面内の任意の点を終点とするスワイプ操作を検出すると、操作ロックを解除するとともに、当該スワイプ操作の終点を通る垂線と軸との交点の位置をそれぞれ特定可能な応答情報を出力する。
【００８６】
［７−２（ｃ）一連のスワイプ操作で軸上の位置を順次指定させる］
図１３（ｂ）に、互いに平行な４本の軸を含む操作ロック画面の表示例を示す。
この操作ロック画面は、時刻情報が表示される領域１３３１と、操作要素１３３２と、「ロック解除」との文言が表示される領域１３３３と、提示情報（例えば、質問文，命題文）が表示される領域１３４１と、互いに平行な４本の直線状の軸と、軸ごとの「観点」が表示される領域とを含む。
ユーザ端末３０は、タッチパネルディスプレイ６５０に操作ロック画面が表示されている状態において、例えば、操作要素１３３２の表示領域内の任意の位置を始点とし図中の破線矢印が示すような軌跡を描く一連のスワイプ操作を検出すると、スワイプ操作が描く軌跡と４本の軸との各交点の位置を特定可能な応答情報を出力する。
【符号の説明】
【００８７】
１０  Ｗｅｂサーバ
２０  ＤＢサーバ
２１  記憶装置
３０  ユーザ端末
６５０  タッチパネルディスプレイ
４０  通信ネットワーク
【図１】
2015076022.tif 000003
【図２】
2015076022.tif 000004
【図３】
2015076022.tif 000005
【図４】
2015076022.tif 000006
【図５】
2015076022.tif 000007
【図６】
2015076022.tif 000008
【図７】
2015076022.tif 000009
【図８】
2015076022.tif 000010
【図９】
2015076022.tif 000011
【図１０】
2015076022.tif 000012
【図１１】
2015076022.tif 000013
【図１２】
2015076022.tif 000014
【図１３】
2015076022.tif 000015